(57)【要約】【課題】ＩＰ−ＭＦＴの省電力化を図ろうとすると著しくサービス品質の低下が発生するか、それを防ぐために物理的な部品等の追加が必要になる。【解決手段】ＩＰ−ＭＦＴの省電力化をＰＢＸシステム全体の省電力化の一部ととらえて、ＰＢＸシステムの制御により各ＩＰ−ＭＦＴ単位だけではなく、各グループ毎に所属するＩＰ−ＭＦＴとして最適な間欠動作タイミングを指示することによって、サービス性能の低下を防ぎつつ、システムとしての省電力化を図る。【選択図】図１
2013131916.tif 000002
【特許請求の範囲】
【請求項１】
省電力動作する電話機と、前記電話機を収容するＰＢＸとを構成要素とするＰＢＸシステムにおいて、
前記ＰＢＸは、呼量の変化に応じて省電力動作タイミングを前記電話機に指示することを特徴とするＰＢＸシステム。
【請求項２】
請求項１に記載のＰＢＸシステムであって、
前記ＰＢＸは、前記電話機が所属するグループ毎の呼量に応じて、前記電話機の省電力動作タイミングを指示することを特徴とするＰＢＸシステム。
【請求項３】
請求項１または請求項２に記載のＰＢＸであって、
前記ＰＢＸは、要求される発呼から着信鳴動までの時間品質を満足させるように、前記電話機の省電力動作タイミングを指示することを特徴とするＰＢＸシステム。
【発明の詳細な説明】
【技術分野】
【０００１】
本発明は、ＰＢＸシステムに係り、特に、電話機を構成要素に含むＰＢＸシステムの省電力化および省電力動作時のサービス向上に関する。
【背景技術】
【０００２】
本技術分野の背景技術として、特許文献１のように制御装置が送信元からの接続要求を着信先の端末に送信するか否かを判断するための端末状態テーブルを備え、テーブルに含まれる判断情報に基づき接続要求を着信先の端末に送信するかを判断し、端末側では省電力動作中には接続要求を端末に送信しないことを制御装置のテーブルに登録することを要求することで、端末の省電力化を図っている。また、特許文献２のようにＩＰ電話機を省電力化するために人感センサーの搭載によって人の有無を検知して省電力モードへ移行し、特許文献３のように省電力モード時には搭載した内蔵バッテリーによって縮退動作させることで待機時の消費電力を電話機単体として抑えようとしている。
【先行技術文献】
【特許文献】
【０００３】
【特許文献１】特開２００６−１４８７４９号公報
【特許文献２】特開２００９−２９０５００号公報
【特許文献３】特開２００９−２１８８８０号公報
【発明の概要】
【発明が解決しようとする課題】
【０００４】
特許文献１のような方式をＩＰ多機能電話機を含むＰＢＸシステムに適用した場合、端末側から一方的に受信を拒否する時間を設定されたのでは、システムとして固定電話に対する着呼を保証できなくなってしまい、ＰＢＸシステムとしてのサービス性が低下してしまう。また、人感センサーや電池の追加が必要となる省電力化ではコスト増となる問題点がある。
【０００５】
本発明は、コスト増やサービス性の低下を回避しつつＩＰ多機能電話機を構成要素に含むＰＢＸシステムの省電力化を目的とする。
【課題を解決するための手段】
【０００６】
開示するＰＢＸシステムはＰＢＸシステムからの間欠動作指示による省電力動作が可能なＩＰ−ＭＦＴを構成要素とするＰＢＸシステムにおいて、ＰＢＸシステムが時間帯や各ＩＰ―ＭＦＴが所属するグループ毎の呼量や、グループ内のＩＰ−ＭＦＴの動作状況を基に各ＩＰ−ＭＦＴの間欠動作タイミングを決定して指示することによって、ＩＰ−ＭＦＴを省電力動作させることができる。
【０００７】
上述した課題は、省電力動作する電話機と、前記電話機を収容するＰＢＸとを構成要素とするＰＢＸシステムにおいて、前記ＰＢＸは、呼量の変化に応じて省電力動作タイミングを前記電話機に指示するＰＢＸシステムにより、達成できる。
【発明の効果】
【０００８】
ＩＰ−ＭＦＴがＰＢＸシステムの状況判断に従って適切な省電力動作をすることによって、システムとしてＩＰ−ＭＦＴの所属グループ毎の適切な着呼から着信鳴動までの時間を守ることでシステムとして最適なサービス性を確保しつつ、システム全体での消費電力化を実現できる。
【図面の簡単な説明】
【０００９】
【図１】ＰＢＸシステムおよび交換機のブロック図である。
【図２】ＩＰ−ＭＦＴのブロック図である。
【図３】設定内容管理テーブルを説明する図である。
【図４】呼量別グループ着信鳴動間隔テーブルを説明する図である。
【図５】間隔管理テーブルを説明する図である。
【図６Ａ】ＩＰ−ＭＦＴを省エネモードに設定する際の制御フローである。
【図６Ｂ】ＩＰ−ＭＦＴを省エネモードに設定する際の制御フローである。
【図７Ａ】ＩＰ−ＭＦＴが省エネモード時の発着信制御フローである。
【図７Ｂ】ＩＰ−ＭＦＴが省エネモード時の発着信制御フローである。
【図８】ＩＰ−ＭＦＴの省エネモード時ライフチェック間隔変更制御フローである。
【図９Ａ】ＩＰ−ＭＦＴの省エネモード解除制御フローである。
【図９Ｂ】ＩＰ−ＭＦＴの省エネモード解除制御フローである。
【図１０】ＣＣ部の間隔判定フローである。
【図１１】ＣＣ部の対応判定フローである。
【図１２】ＣＣ部の間隔変更判定フローである。
【発明を実施するための形態】
【００１０】
以下、本発明の実施形態について、実施例を用い図面を参照しながら詳細に説明する。なお、実質同一部位には同じ参照番号を振り、説明は繰り返さない。
以下、ＩＰ−ＭＦＴの省電力方法とＩＰ−ＭＦＴを省電力モードに移行するシーケンスを説明する。これにより、省電力動作の指示がＰＢＸシステムから行なうことでシステム全体としてＰＢＸのサービス品質を保ちつつ省電力動作させることができること説明する。
【００１１】
図１において、ＰＢＸ１は、呼制御装置１ａ（以下ＴＭ部）と回線収容部１ｂ（以下ＴＵ部）から構成される。ＴＵ部１ｂは、公衆交換網８（以下ＰＳＴＮという）と接続されている。ＴＵ部１ｂは、複数のアナログ端末５（以下電話機）と、複数のＬＡＮ（Local Area  Network）通信用のＨＵＢ２を収容している。集線装置（Concentrator）であるＨＵＢ２は、社内、構内用のＬＡＮケ−ブル７を通じて、ＴＭ部１ａと、ＩＰ多機能電話機６１（以下ＩＰ−ＭＦＴ）および一般的なＩＰルーターであるルーター３が接続されている。ルーター３は、異なるネットワーク同士を相互接続するネットワーク機器である。ルーター３は、通信経路が記述されたルーティングテーブルに従って、デジタルデータ（音声等）を宛先のネットワークまで中継する。ルーター３を介して交換機１は、Internet Protocol網４（以下ＩＰ網）と接続されている。
【００１２】
ＴＭ部１ａ、ＩＰ−ＭＦＴ６１間は、ＬＡＮで接続する。音声信号、メールおよび各種情報（電話番号、ＩＰアドレス、メールアドレス等）は、ＩＰパケットで伝送する。ＴＵ部１ｂは、ＴＭ部１ａの制御のもとに、内線電話機５およびＰＳＴＮ８をパケット網であるＬＡＮおよびＩＰ網４に接続する。ＴＵ部１ｂは、回線数および内線電話機の数により任意に増設できる。ＴＵ部１ｂは、電話機５等からの呼制御情報やアナログ音声をＩＰパケットデータ化して、ＴＭ部１ａ、ＬＡＮに送出する。ＴＵ部１ｂは、また、ＴＭ部１ａやＬＡＮからのＩＰパケットデータを受信して、アナログ音声に変換する。
【００１３】
ＩＰ−ＭＦＴ６１−１、ＩＰ−ＭＦＴ６１−２、ＩＰ−ＭＦＴ６１−３は、グループ１を構成する。ＩＰ−ＭＦＴ６１−４、ＩＰ−ＭＦＴ６１−５は、グループ２を構成する。ここでグループは、代理応答グループである。
【００１４】
次にＰＢＸ１の内部ブロックを説明する。ＴＵ部１ｂは、従来回線部１１（以下ＥＸ部）と、パケット処理部１３（以下ＰＵ部）と備える。ＥＸ部１１は、従来の通りの電話交換機能と同様の機能を実現する。ＰＵ部１３は、ＥＸ部１１からの音声データとパケットデータの変換を行なう。
【００１５】
ＥＸ部１１は、局線インタフェ−ス部１１１（以下ＣＯＴ）と、電話機インタフェース部１１２（以下ＬＩＮＥ）とを備える。ＣＯＴ１１１は、ＰＳＴＮ８との電気的インタフェ−スを合わせ、通信を行なう。ＬＩＮＥ１１２は、電話機５との電気的インタフェ−スを合わせ、通信を行なう。ＰＵ部１３は、後述するＣＣ部１２の制御のものに音声変換を行なう。
【００１６】
ＴＭ部１ａは、ＩＰ呼制御部１４（以下ＳＣ部）と、交換制御部１２（以下ＣＣ部）とを備える。ＳＣ部１４は、ＬＡＮやＩＰ網４との呼制御を行なう。ＣＣ部１２は、ＥＸ部１１、ＳＣ部１４およびＰＵ部１３それぞれのデータ交換制御を行なう。ＣＣ部１２は、ＥＸ部１１、ＳＣ部１４およびＰＵ部１３のそれぞれの交換制御を行なう。ＣＣ部１２は、ＩＰ−ＭＦＴ６１やＰＵ部１３毎に割り付けられるＩＰアドレスを管理する。ＣＣ部１２は、通話相手先のＩＰアドレスを通知する。ＣＣ部１２は、ＥＸ部１１から通知される電話番号とパケット網４内のアドレスであるＩＰアドレスの相互変換を行なう。なお、相互変換において、予め変換する電話番号とＩＰアドレスは設定しておく。ＣＣ部１２は、ＳＣ部１４を通じてＰＳＴＮ８とパケット網４間の接続を制御する。
【００１７】
ＩＰ網４との呼制御を行なうＳＣ部１４は、ＩＰ−ＭＦＴ制御部１４１と、ライフチェック制御部１４２と、ＣＣインタフェース部１４４と、ＬＡＮインタフェース部１４５を備えている。
【００１８】
ＣＣインタフェース部１４４は、ＣＣ部１２とのデータ送受信制御を行なう。ＣＣインタフェース部１４４は、ＩＰ−ＭＦＴ制御部１４１、ライフチェック制御部１４２、ＣＣ部１２間とのメッセージの送受信制御を行なう。
【００１９】
ライフチェック制御部１４２は、ＣＣインタフェース部１４４に接続される。ライフチェック制御部１４２は、ＩＰ−ＭＦＴ６１とのインタフェースを確保し制御するＩＰ−ＭＦＴ制御部１４１と、ＩＰ−ＭＦＴ６１の正常動作状況を管理する。
【００２０】
ＬＡＮインタフェース部１４５は、ＩＰ−ＭＦＴ制御部１４１、ライフチェック制御部１４２に接続されている。ＬＡＮインタフェース部１４５は、それらからのメッセ−ジの送受信制御を行なう。ＬＡＮインタフェース部１４５は、またＨＵＢ２に接続され、ＬＡＮ側からのＩＰパケットデータの送受信処理を行なう。
【００２１】
また、ＩＰ−ＭＦＴ制御部１４１は、間隔記憶部１４３を備える。間隔記憶部１４３は、ＩＰ−ＭＦＴ６１からのログイン時に内線番号とＩＰアドレスとの関連づけ、その情報を管理する。間隔記憶部１４３は、ＩＰ−ＭＦＴ６１の呼毎のチャネル接続情報（ポ−ト番号、パケット多重数、符号化方式等）を随時管理し、通話パス接続時の接続条件通知に用いる。間隔記憶部１４３は、登録されたＩＰ−ＭＦＴ６１の正常性を確認し、常に最新のＩＰ−ＭＦＴ６１の状態をＣＣ部１２に通知する。間隔記憶部１４３は、ＩＰ−ＭＦＴ６１との呼制御メッセ−ジの送受信処理を行なう。間隔記憶部１４３は、ＩＰ−ＭＦＴ６１の省電力動作（以降、省エネモードという）間隔を記憶しておく。
【００２２】
ＰＢＸシステム全体の交換制御を行なうＣＣ部１２は、呼制御部１２１と、処理判断部１２２とを備えている。処理判断部１２２は、呼量監視部１２３と、設定記憶部１２４とを備えている。呼制御部１２１は、システム全体の交換制御を行なう。処理判断部１２２は、ＩＰ−ＭＦＴ６１の省エネモード間隔を決定する。呼量監視部１２３は、電話機の所属するグループ単位での呼量の変動を監視する。設定記憶部１２４は、各ＩＰ−ＭＦＴ６１の省電力設定を記憶する。
【００２３】
図２を参照して、ＩＰ−ＭＦＴの構成を説明する。図２において、ＩＰ−ＭＦＴ６１は、状態制御部６１１と、呼制御部（ＳＣ Ｉ／Ｆ）６１２と、ＬＡＮ制御部６１３と、ＬＡＮ Ｉ／Ｆ６１４と、入力感知部６１５と、表示制御部６１６と、音声制御部６１７と、スピーカーと、ハンドセットと、ＬＣＤと、ＬＥＤと、ＫＥＹとから構成されている。状態制御部６１１は、ライフチェックタイマ格納部６１８を含む。ＬＡＮ制御部６１３は、Ｅｔｈｅｒ ＳＷ６１９と、ＰＨＹ６１Ａとを含む。
【００２４】
状態制御部６１１は、ＩＰ−ＭＦＴ６１が通常モード／省エネモードのどちらで動作しているのかを管理し、入力感知部６１５からの情報や、ＰＢＸ１からの指示に従って内部の状態遷移を指示する。状態制御部６１１は、必要な指示を呼制御部６１２、ＬＡＮ制御部６１３、表示制御部６１６、音声制御部６１７に対して出す。呼制御部６１２は、呼制御用のパケットを受取り、通話できるように制御する。ＬＡＮ制御部６１３は、ＬＡＮのパケット処理、リンク速度の変更を実施する。ＬＡＮ Ｉ／Ｆ部６１４は、ＩＰ−ＭＦＴ６１のＬＡＮポート兼ＰｏＥのインタフェースを含む。入力感知部６１５は、ユーザのボタン操作およびハンドセットの上げ下げを感知して状態制御部に伝達する。表示制御部６１６は、状態制御部及び呼制御部からの情報を元にＬＣＤやＬＥＤで表示するための制御を行なう。音声制御部６１７は、音声の圧縮・解凍（ＣＯＤＥＣ）およびゲインの調整を実施する。ライフチェックタイマ格納部６１８は、省エネモード時のライフチェックタイマを格納する。ＰＨＹ６１Ａは、Ｅｔｈｅｒのインタフェースであり、論理信号を実際の電気的な信号に変換する。Ｅｔｈｅｒ ＳＷ６１９は、ＩＰ−ＭＦＴへのデータとＩＰ−ＭＥＴの配下に接続されるＰＣへのデータを取り込み、ＩＰ−ＭＦＴにはＩＰ−ＭＦＴへのデータのみを、ＰＣにはＰＣへのデータのみを、送信する。
【００２５】
ＩＰ−ＭＦＴ６１は、省エネモードのとき、状態制御部６１１および入力感知部６１５を除いた部分を動作状態に応じて省電力動作させる。音声制御部６１７および表示制御部６１６は、省エネモード中は完全停止する。これらに付随する音声デバイス、表示デバイスについても動作停止させる。呼制御部６１２、ＬＡＮ制御部６１３、ＬＡＮ Ｉ／Ｆ部６１４は、すぐに通常動作に復帰できる状態を維持しつつ縮退動作に移行する。
【００２６】
省エネモードにおいて、状態制御部６１１は、間欠動作タイミングの元になるライフチェックタイマ格納部６１８のタイマータイミング毎に呼制御部６１２、ＬＡＮ制御部６１３、ＬＡＮ  Ｉ／Ｆ部６１４を通常動作に戻す。これによって、状態制御部６１１は、ＰＢＸ１にライフチェックパケットを送出する。状態制御部６１１は、ＩＰ−ＭＦＴ制御部１４１から送出されるデータを受信後、通常起動する必要がなければ、再度省エネモードに戻る。また、入力感知部からＩＰ−ＭＦＴ６１が操作されたことを感知した場合、状態制御部６１１は、ＩＰ−ＭＦＴ６１の全ての部分を通常モードに移行させて発信可能な状態にする。
【００２７】
図３を参照して、設定内容管理テーブルを説明する。図３において、設定内容管理テーブルは、内線番号と、グループと、省エネ状態と、間隔と、開始時刻と、強制省エネ移行可否とから構成されている。内線番号は、ＩＰ−ＭＦＴ６１の内線番号を記述する。グループは、ＩＰ−ＭＦＴ６１の所属するグループ番号である。省エネ状態は、ＩＰ−ＭＦＴ６１の省エネ状態（ＯＮ／ＯＦＦ）である。間隔は、ライフチェックパケットの送出間隔である。開始時刻は、ライフチェックパケットの送出開始時刻である。強制省エネ移行可否は、ＰＢＸからの省エネ移行の可否である。
【００２８】
図４を参照して、呼量別グループ着信鳴動間隔テーブルを説明する。図４において、呼量別グループ着信鳴動間隔テーブルは、ＩＰ−ＭＦＴ１台あたりの呼量と、着呼から着信鳴動までの時間とで構成されている。
【００２９】
図５を参照して、間隔管理テーブルを説明する。図６において、間隔管理テーブルは、内線番号と、間隔と、次回時刻とから構成されている。内線番号は、ＩＰ−ＭＦＴ６１の内線番号を記述する。間隔は、ライフチェックパケットの送出間隔である。次回時刻は、次回のライフチェックパケットの送出時刻である。
【００３０】
図６を参照して、ＩＰ−ＭＦＴを通常動作状態（以降、通常モード）から省エネモードへ移行させるシーケンスを説明する。ここで、図６ＡはＩＰ−ＭＦＴ６１から省エネモードへの移行を設定するシーケンスである。一方、図６ＢはＰＢＸ１が各ＩＰ−ＭＦＴ６１を省エネモードに移行するシーケンスである。
【００３１】
図６Ａにおいて、通常モードのＩＰ−ＭＦＴ６１は、ＬＥＤ表示部を局線の使用状況や、登録した内線番号の使用状況に応じて点灯や点滅させる。そのためのデータについて、ＣＣ部１２は、ボタン情報としてＳＣ部１４のＣＣインタフェ−ス部１４４に送信する（Ｓ１）。ＣＣインタフェ−ス部１４４は、ＩＰ−ＭＦＴ制御部１４１にＤＭＴ呼制御情報要素（共通）を送信する（Ｓ２）。ＩＰ−ＭＦＴ制御部１４１は、情報要素通知（共通）としてＰＢＸ１につながる全てのＩＰ−ＭＦＴ６１に対してマルチキャストする（Ｓ３)。ＩＰ−ＭＦＴ６１は、表示内容の変更点が無いかどうかを確認して、ＬＥＤ表示に反映する。
【００３２】
ここで、ライフチェック制御部１４２の通常時のライフチェックタイマが満了する（Ｓ４）。このタイミングによって、ライフチェック制御部１４２は、ライフチェック要求をＩＰ−ＭＦＴ制御部１４１へ送付する（Ｓ５）。ＩＰ−ＭＦＴ制御部１４１は、ライフチェックをＩＰ−ＭＦＴ６１に送付する（Ｓ６）。ＩＰ−ＭＦＴ６１は、ライフチェック応答をＩＰ−ＭＦＴ制御部１４１返信する（Ｓ７）。ＩＰ−ＭＦＴ制御部１４１は、ライフチェック制御部１４２へライフチェック要求応答を送信する（Ｓ８）。ライフチェック制御部１４２は、時周期タイマをセットする（Ｓ９）。以上のステップによって、ＰＢＸ１は、ＩＰ−ＭＦＴ６１の正常動作状態を監視している。通常モードの待機時はこのようなシーケンスがくりかえされている。
【００３３】
ＩＰ−ＭＦＴ６１は、使用者による省エネモード設定を受け付ける（Ｓ１０）。ＩＰ−ＭＦＴ６１は、省エネモード要求をＩＰ−ＭＦＴ制御部１４１へ送信する（Ｓ１１）。ＩＰ−ＭＦＴ６１はライフチェックタイマ指示待ち状態となる。要求を受けたＩＰ−ＭＦＴ制御部１４１は、省エネモードライフチェック登録要求をライフチェック制御部１４２に送信する（Ｓ１２）。ライフチェック制御部１４２は、通常状態の時周期タイマのセットを解する（Ｓ９−ｂ）。ＩＰ−ＭＦＴ制御部１４１は、同時にＣＣインタフェ−ス部１４４へ省エネモードライフチェック間隔問合せ送付する（Ｓ１３）。ＣＣインタフェ−ス部１４４は、ＣＣ部１２に対してＩＰ−ＭＦＴ６１のライフチェックの間隔問合せを送付する（Ｓ１４）。ＣＣ部１２は、後述する図１０のフローにしたがってライフチェック間隔を判定する（Ｓ１５）。ＣＣ部１２は、間隔指示をＣＣインタフェ−ス部１４４に返す（Ｓ１６）。ＣＣインタフェ−ス部１４４は、ＩＰ−ＭＦＴ制御部１４１にその指示内容を省エネモードライフチェック間隔指示として指示する（Ｓ１７）。ＩＰ−ＭＦＴ制御部１４１は、その値を間隔記憶部１４３に格納する（Ｓ２６）。ＩＰ−ＭＦＴ制御部１４１は、省エネモード要求のあったＩＰ−ＭＦＴ６１に対して省エネモードライフチェックタイマ指示を指示する（Ｓ１８）。指示を受けたＩＰ−ＭＦＴ６１は、状態制御部６１１内に持つライフチェックタイマ格納部６１８へ値を格納し以降、省エネモードへ移行する。
【００３４】
ＩＰ−ＭＦＴ６１は、省エネモード時は前述したような省電力動作となる。しかし、タイマが設定されたタイマ値を満了するごとに（Ｓ２１）、ＩＰ−ＭＦＴ６１は、ライフチェックパケットを送出するためのライフチェック用に起動する（Ｓ２２）。ＩＰ−ＭＦＴ６１は、ＩＰ−ＭＦＴ制御部１４１へ対して省エネモードライフチェック通知を送出する（Ｓ２３）。ＩＰ−ＭＦＴ制御部１４１は、ライフチェック制御部１４２に対して省エネモードライフチェック通知を送付する（Ｓ２４）。ライフチェック制御部１４２は、ＩＰ−ＭＦＴ６１が正常動作していることを確認する。ＩＰ−ＭＦＴ制御部１４１は、ＩＰ−ＭＦＴ６１に省エネモード継続指示を送出し（Ｓ２５）、引き続き省エネモードで動作するように指示する。
【００３５】
図６Ｂを参照して、ＣＣ部１２からＩＰ−ＭＦＴ６１を省エネモードへ移行するように指示するシーケンスを説明する。図６Ｂにおいて、ＣＣ部１２は、省エネモード移行を判定する（Ｓ３０）。ステップ３０で、ＣＣ部１２は、図１１のフローにしたがって指示内容を決定する。ＣＣ部１２は、移行指示をＣＣインタフェ−ス部１４４に送る（Ｓ３１）。ＣＣインタフェ−ス部１４４は、ライフチェック制御部１４２に対して省エネモードライフチェック登録指示を送付する（Ｓ３２）。ライフチェック制御部１４２は、時周期タイマ解除を実施する（Ｓ９−ｂ）。ＣＣインタフェ−ス部１４４は、ＩＰ−ＭＦＴ制御部１４１に対しては省エネモード移行要求を出す（Ｓ３３）。ＩＰ−ＭＦＴ制御部１４１は、省エネモード移行指示を、ＩＰ−ＭＦＴ６１へ送付する（Ｓ３４）。ＩＰ−ＭＦＴ６１は、ライフチェックタイマ指示待ち状態となる。ライフチェックタイマ指示待ち状態はり省エネモードライフチェックタイマ指示を待受ける状態である。
【００３６】
ＣＣ部１２は、間隔指示を送出し（Ｓ１６）、図６Ａと同様にＩＰ−ＭＦＴ６１を省エネモードに移行させる。したがって、説明を省く。
【００３７】
図７を参照して、省エネモード時の通話シーケンスを説明する。図７において、図７Ａは、省エネモード状態のＩＰ−ＭＦＴ６１への着信から通話し省エネモードに戻るまでのシーケンスである。一方、図７Ｂは、省エネモード状態のＩＰ−ＭＦＴ６１から発信して通話から省エネモードに戻るまでのシーケンスである。
【００３８】
図７Ａにおいて、ＩＰ−ＭＦＴ６１は、省エネモードにある。この状態で、ＩＰ−ＭＦＴ６１への着呼が発生するとＣＣ部１２は、ＣＣインタフェ−ス部１４４に対して個別呼出を送出する（Ｓ４１）。ＣＣインタフェ−ス部１４４は、ＩＰ−ＭＦＴ制御部１４１へＤＭＴ呼制御情報要素（個別呼出）を送出する（Ｓ４２）。ＩＰ−ＭＦＴ制御部１４１は、呼出対象のＩＰ−ＭＦＴ６１が省エネモードであることを、間隔記憶部１４３で確認し、次回のライフチェック用起動までの時間を判定する（Ｓ４３）。結果が判定値より長ければ、ＩＰ−ＭＦＴ制御部１４１は、次回起動時刻通知をＣＣインタフェ−ス部１４４に送付する（Ｓ４４）。ＣＣインタフェ−ス部１４４は、ＣＣ部１２へ次回起動時刻通知を送付する（Ｓ４５）。次回起動時刻通知を受けたＣＣ部１２は、処理判断部１２２において図１１に示すフローに従って対応方法を決定する（Ｓ４６）。
【００３９】
また、ステップ４３において、判定値以内であれば、ＩＰ−ＭＦＴ制御部１４１は、次回起動待ち状態となる。ここで、ＩＰ−ＭＦＴ６１のタイマが満了する（Ｓ２１）。ＩＰ−ＭＦＴ６１は、ライフチェック用に起動する（Ｓ２２）。ＩＰ−ＭＦＴ６１は、省エネモードライフチェック通知をＩＰ−ＭＦＴ制御部１４１に送信する（Ｓ２３）。ＩＰ−ＭＦＴ制御部１４１は、省エネモードライフチェック通知をライフチェック制御部１４２に送信する（Ｓ２４）。
【００４０】
ＩＰ−ＭＦＴ制御部１４１は、ＩＰ−ＭＦＴ６１から省エネモードライフチェック通知を受信したタイミングで着信通知をＩＰ−ＭＦＴ６１に送信する（Ｓ４８）。これによって、ＩＰ−ＭＦＴ制御部１４１は、ＩＰ−ＭＦＴ６１に着信があることを伝える。着信通知を受けたＩＰ−ＭＦＴ６１は、着信通知応答をＩＰ−ＭＦＴ制御部１４１に返信する（Ｓ４９）。ＩＰ−ＭＦＴ６１は、音声制御部６１７、表示制御部６１７も通常動作させて着信鳴動させる。人が応答したとき、ＩＰ−ＭＦＴ制御部１４１は、応答通知を着信通知応答をＩＰ−ＭＦＴ制御部１４１に送信する（Ｓ５０）。ＩＰ−ＭＦＴ制御部１４１は、ＩＰ−ＭＦＴ６１に対して応答通知応答返信する（Ｓ５１）。ＩＰ−ＭＦＴ制御部１４１は、ＣＣインタフェ−ス部１４４に対してＤＭＴ呼制御情報要素（応答）送信する（Ｓ５２）。ＣＣインタフェ−ス部１４４は、ＣＣ部１２に対して応答を送信する（Ｓ５３）。これによって、ＣＣ部１２と、ＩＰ−ＭＦＴ６１との間が通話中になる。
【００４１】
呼をＩＰ−ＭＦＴ６１から切断するとき、ＩＰ−ＭＦＴ６１は、切断通知をＩＰ−ＭＦＴ制御部１４１に送信する（Ｓ５５）。ＩＰ−ＭＦＴ制御部１４１は、切断通知応答をＩＰ−ＭＦＴ６１に返信する（Ｓ５６）。ＩＰ−ＭＦＴ制御部１４１は、ＤＭＴ呼制御情報要素（切断）をＣＣインタフェース部１４４に送信する（Ｓ５７）。ＣＣインタフェース部１４４は、ＣＣ部１２に対して切断を送信する（Ｓ５８）。ＣＣ部１２は、切断処理を終わるとＣＣインタフェース１４４に切断応答を送信する（Ｓ５９）。ＣＣインタフェース部１４４は、ＩＰ−ＭＦＴ制御部１４１にＤＭＴ呼制御情報要素（切断応答）を送信する（Ｓ６０）。ＩＰ−ＭＦＴ制御部１４１は、切断応答通知をＩＰ−ＭＦＴ６１に送信する（Ｓ６１）。ＩＰ−ＭＦＴ６１は、切断応答通知応答を返信する（Ｓ６２）。ＩＰ−ＭＦＴ６１は、同時に、継続して省エネモードでいるために省エネモード再要求をＩＰ−ＭＦＴ制御部１４１に送信する（Ｓ６３）。
【００４２】
ＩＰ−ＭＦＴ制御部１４１は、前回のライフチェックタイマの値を引き継いで省エネモードライフチェックタイマ指示をＩＰ−ＭＦＴ６１に送出する（Ｓ６４）。これにより、ＩＰ−ＭＦＴ６１は、省エネモードに復帰する。同時に、ＩＰ−ＭＦＴ制御部１４１は、ＣＣインタフェ−ス部１４４に対して省エネモード開始時刻修正要求を送信する（Ｓ６５）。ＣＣインタフェ−ス部１４４は、ＣＣ部１２に対し開始時刻修正送信する（Ｓ６６）。ＣＣ部１２は、設定記憶部１２４のテーブルの開始時刻を修正する（Ｓ６７）。
【００４３】
図７Ｂを参照して、省エネモード中のＩＰ−ＭＦＴからの発呼のシーケンスを説明する。図７Ｂにおいて、ＩＰ−ＭＦＴ６１は、省エネモードにある状態で操作者による発信操作を受け付け、発信用に一時起動する（Ｓ７０）。ＩＰ−ＭＦＴ６１は、のすべてのブロックを通常動作状態に戻し、ＩＰ−ＭＦＴ制御部１４１に発信通知を送付する（Ｓ７１）。以降は、通常状態の発呼シーケンスと同様なので省略し、発信応答通知応答を送出して（Ｓ７８）、呼出中となる。また、相手の応答によって、ＣＣ部１２による応答送出（Ｓ８０）からＩＰ−ＭＦＴ６１の応答通知応答送出（Ｓ８３）までを実施すると、通話中となる。以降は、図７Ａの説明と同様に切断シーケンスを実施し、ＩＰ−ＭＦＴ６１からの省エネモード再要求（Ｓ６３）のシーケンスを経て省エネモードへ戻る。
【００４４】
図８を参照して、ＣＣ部の呼量監視部が呼量の変化を検出した際のＩＰ−ＭＦＴのライフチェックタイマの設定値を変更するシーケンスを説明する。図８において、ライフチェックタイマの間隔変更判定（Ｓ９０）は、図１２のフローによって判定される。
【００４５】
変更が判定されると、ＣＣ部１２は、間隔変更指示をＣＣインタフェ−ス部１４４に送付する（Ｓ９１）。ＣＣインタフェ−ス部１４４は、省エネモードライフチェック間隔変更指示をＩＰ−ＭＦＴ制御部１４１に送付する（Ｓ９２）。省エネモードライフチェック間隔変更指示には、グループ内の省エネモード動作のＩＰ−ＭＦＴ６１のライフチェックタイミングが均等になるスタートタイミング情報が指定されている。
【００４６】
ＩＰ−ＭＦＴ制御部１４１は、間隔記憶部１４３の間隔の設定値を変更して（Ｓ９２）、該当のＩＰ−ＭＦＴ６１から省エネモードライフチェック通知が来るのを待つ。該当のＩＰ−ＭＦＴ６１から、省エネモードライフチェック通知を受信する（Ｓ２３）と、ＩＰ−ＭＦＴ制御部１４１は、省エネモードライフチェックタイマ変更指示を送付する（Ｓ９４）。ＩＰ−ＭＦＴ６１は、ライフチェックタイマ格納部６１８の設定値を変更する（Ｓ９５）。ＩＰ−ＭＦＴ制御部１４１は、グループ内の省エネモード動作のＩＰ−ＭＦＴ６１のライフチェックタイミングが均等になるスタートタイミングで省エネモード継続指示を送付する（Ｓ２５）。ＩＰ−ＭＦＴ６１は、新たに設定したタイマ値で省エネモードを再開する。
【００４７】
図９を参照して、省エネモードを解除する際のシーケンスを説明する。ここで、図９Ａは、ＣＣ部１２からの解除シーケンスである。一方、図９Ｂは、ＩＰ−ＭＦＴ６１からの解除シーケンスである。
【００４８】
図９Ａにおいて、ユーザがあらかじめ決めることができる日時等を契機として、ＣＣ部１２は、省エネモードの解除を判定する（Ｓ１００）。ＣＣ部１２は、該当するＩＰ−ＭＦＴ６１を指定して解除指示をＣＣインタフェ−ス部１４４に送付する（Ｓ１０１）。ＣＣインタフェ−ス部１４４は、ライフチェック制御部１４２に対して省エネモード解除指示を送付する（Ｓ１０２）。ＣＣインタフェ−ス部１４４は、ＩＰ−ＭＦＴ制御部１４１に対して省エネモード解除指示を送付する（Ｓ１０３）。ＩＰ−ＭＦＴ制御部１４１は、省エネモード解除待ちに遷移する。
【００４９】
省エネモード状態のＩＰ−ＭＦＴ６１は、タイマ満了を契機にライフチェック用起動する（Ｋ２２）。ＩＰ−ＭＦＴ６１は、省エネモードライフチェック通知をＩＰ−ＭＦＴ制御部１４１に送信する（Ｓ２３）。ＩＰ−ＭＦＴ制御部１４１は、省エネモードライフチェック通知をライフチェック制御部１４２に送信する（Ｓ２４）。省エネモードライフチェック通知を受信したＩＰ−ＭＦＴ制御部１４１は、省エネモード解除指示をＩＰ−ＭＦＴ６１に送信する（Ｓ１０５）。省エネモード解除指示を受けたＩＰ−ＭＦＴ６１は、省エネモードを解除し（Ｓ１０６）、通常モードに移行する。
【００５０】
図９Ｂを参照して、ＩＰ−ＭＦＴから省エネモードを解除するシーケンスを説明する。図９Ｂにおいて、ＩＰ−ＭＦＴ６１は、省エネモード解除操作を受け付ける（Ｓ１１０）。ＩＰ−ＭＦＴ６１は、省エネモード解除要求をＩＰ−ＭＦＴ制御部１４１に送出する（Ｓ１１１）。同時に、ＩＰ−ＭＦＴ６１は、すべてのブロックを通常動作に戻し、通常モードに移行する。
【００５１】
ＩＰ−ＭＦＴ制御部１４１は、ライフチェック制御部１４２に省エネモード解除登録を送り（Ｓ１１２）、省エネモード状態でのライフチェック動作を終了することを通知する。ライフチェック制御部１４２は、通常状態にもどるため時周期タイマセット（Ｓ９）を実施する。ＩＰ−ＭＦＴ制御部１４１は、同時にＣＣインタフェ−ス部１４４に対して省エネモード解除登録を送出する（Ｓ１１３）。ＣＣインタフェ−ス部１４４は、ＣＣ部１２に解除登録を送出する（Ｓ１１４）。ＣＣ部１２は、設定記憶部１２４のテーブルが更新されて省エネモードの登録を解除する。
【００５２】
図１０を参照して、図６ＡのＣＣ部の間隔判定を説明する。ＣＣ部１２は、設定記憶部１２４の管理テーブル（図３）から同じグループ所属の省エネ設定されているＩＰ−ＭＦＴ６１の台数を確認する（Ｓ２０１）。ＣＣ部１２は、呼量監視部１２３から現在の単位時間当たりのグループへの呼量を確認する（Ｓ２０２）。ＣＣ部１２は、同じグループ内に省エネ設定されているＩＰ−ＭＦＴ６１が有るか判定を行なう（Ｓ２０３）。有る場合（ＹＥＳ）、ＣＣ部１２は、グループ所属の省エネ設定されるＩＰ−ＭＦＴ６１の台数でグループへの呼量を割る（Ｓ２０４）。ステップ２０３でＮＯおよびステップ２０４のあと、ＣＣ部１２は、図４の呼量毎のライフチェック間隔設定値テーブルからライフチェック間隔の設定値を選択する（Ｓ２０５）。間隔値の指定に際して、ＣＣ部１２は、同じグループ所属の省エネ設定されているＩＰ−ＭＦＴ６１のライフチェックタイミングがグループとして均等に発生するようにタイミングを判定して、間隔指示を送付し、開始時刻を設定記憶部の管理テーブルに登録して（Ｓ２０６）、終了する。
【００５３】
本実施例によれば、タイミングをグループ内で均等に配置することにより、グループへの着信が発生した際に着信鳴動までの時間を管理された均等な時間内に納めることができ、これによって、着信を受ける側のサービス性の低下が防止される。
【００５４】
図１１を参照して、図７ＡのＣＣ部の対応判定処理を説明する。図１１において、ＣＣ部１２は、設定記憶部１２４の管理テーブル（図３）から同じグループ所属のＩＰ−ＭＦＴ６１の状態を確認する（Ｓ２０７）。ＣＣ部１２は、グループ内に通常動作のＩＰ−ＭＦＴ６１の有無を判定する（Ｓ２０８）。通常動作のＩＰ−ＭＦＴ６１がグループ内に存在する場合（ＹＥＳ）、ＣＣ部１２は、それに対してグループ着信の鳴動を指示する（Ｓ２１３）。通常動作ＩＰ−ＭＦＴ６１が存在しない場合（Ｓ２０８：ＮＯ）、ＣＣ部１２は、設定記憶部１２４の管理テーブルから最も直近にライフチェック起動するＩＰ−ＭＦＴ６１を確認する（Ｓ２０９）。ＣＣ部１２は、直近に起動するＩＰ−ＭＦＴ６１の起動までの時間が判定値以内かを判定する（Ｓ２１０）。判定値以内の場合（ＹＥＳ）、ＣＣ部１２は、直近に起動するＩＰ−ＭＦＴ６１に対してグループ着信の鳴動を指示する（Ｓ２１２）。判定値外だった場合（Ｓ２１０：ＮＯ）、ＣＣ部１２は、呼出中メッセージ等の音声を呼出側へ流すことを指示したうえで、直近に起動するＩＰ−ＭＦＴ６１へグループ着信の鳴動を指示する（Ｓ２１１）。ステップ２１１〜ステップ２１３のあと、ＣＣ部１２は、元来呼出し指定されていたＩＰ−ＭＦＴ６１に対して次回起動までの判定値以下になったら通常の着信鳴動の指示をだす。
【００５５】
このフローによって、指定呼出ＩＰ−ＭＦＴ６１への着信鳴動は保証しつつ、グループ内のいずれかのＩＰ−ＭＦＴ６１が最短でグループ着信鳴動することで、発呼から着信鳴動までの時間をサービス要求品質以内に収めることが可能となり、省エネモード状態でもＰＢＸシステムとして一定のサービス品質を提供することが可能となる。
【００５６】
図１２を参照して、図８のＣＣ部の間隔変更判定処理を説明する。図１２において、グループ内の全てのＩＰ−ＭＦＴ６１が省エネモードに設定された場合、ＣＣ部１２は、呼量監視部１２３からグループの呼量の変化の有無を確認する（Ｓ２１５）。ＣＣ部１２は、グループ内の省エネモード台数についてステップ２１５で確認した呼量を割る（Ｓ２１６）。ＣＣ部１２は、図４の呼量ごとのライフチェック間隔設定値からグループの設定値を変更する必要があるかを判定する（Ｓ２１７）。変更の必要がある場合（ＹＥＳ）、ＣＣ部１２は、グループの省エネ設定全数の間隔設定を変更する（Ｓ２１８）。ＣＣ部１２は、同じグループ所属の省エネ設定されているＩＰ−ＭＦＴ６１のライフチェックタイミングがグループとして均等に発生するように該当ＩＰ−ＭＦＴ６１の省エネモードのスタートタイミングを指示できるデータ内容で変更指示を送付して（Ｓ２１９、終了する。
【００５７】
ステップ２１７でＮＯのとき、ＣＣ部１２は、変更指示なしと判定して（Ｓ２２０）、終了する。
このフローによって呼量の変化に応じて最適なライフチェックタイミング間隔の制御が可能となる。
【００５８】
上述した実施例によれば、ＩＰ−ＭＦＴがＰＢＸシステムの状況判断に従って適切な省電力動作をすることによって、システムとしてＩＰ−ＭＦＴの所属グループ毎の適切な着呼から着信鳴動までの時間を守ることでシステムとして最適なサービス性を確保しつつ、システム全体での消費電力化を実現できる。
【符号の説明】
【００５９】
１…ＰＢＸ、１ａ…交換機（ＴＭ部）、１ｂ…交換機（ＴＵ部）、２…ＨＵＢ、３…ルーター、４…ＩＰ網、５…一般電話機、６１…ＩＰ−ＭＦＴ、７…ＬＡＮ、８…公衆交換網（ＰＳＴＮ）、１１…従来回線部（ＥＸ部）、１２…交換制御部（ＣＣ部）、１３…音声変換部（ＰＵ部）、１４…ＩＰ呼制御部（ＳＣ部）。
【図１】
2013131916.tif 000003
【図２】
2013131916.tif 000004
【図３】
2013131916.tif 000005
【図４】
2013131916.tif 000006
【図５】
2013131916.tif 000007
【図６Ａ】
2013131916.tif 000008
【図６Ｂ】
2013131916.tif 000009
【図７Ａ】
2013131916.tif 000010
【図７Ｂ】
2013131916.tif 000011
【図８】
2013131916.tif 000012
【図９Ａ】
2013131916.tif 000013
【図９Ｂ】
2013131916.tif 000014
【図１０】
2013131916.tif 000015
【図１１】
2013131916.tif 000016
【図１２】
2013131916.tif 000017